(57)【要約】【課題】単純な構成で低コスト、且つ電圧管理を正しく行うと共に低消費電流の電源回路を提供することである。【解決手段】スイッチング手段によって電池２からインダクタ３に繰り返し電流が流され、上記インダクタ３に発生した電圧はコンデンサ５により平滑化されてレギュレータ６に入力される。このレギュレータ６の入力は、ＣＰＵ１内のＡ／Ｄコンバータ１ａにてモニタされる。そして、上記Ａ／Ｄコンバータ１ａの基準電圧は、上記レギュレータ６の出力電圧によって安定化されている。【選択図】　　図１
2004072991.tif 000002
【特許請求の範囲】
【請求項１】
電池からインダクタに繰り返し電流を流すスイッチング手段と、
上記インダクタに発生した電圧を平滑化させ、レギュレータに入力する平滑化回路と、
上記平滑化回路の出力をモニタするモニタ回路と、
を具備し、
上記モニタ回路の基準電圧が、上記レギュレータの出力電圧によって安定化されていることを特徴とする電源回路。
【請求項２】
上記モニタ回路のモニタ結果に従って、上記スイッチング手段のパルス発生の作動、非作動を制御する制御手段を更に具備することを特徴とする請求項１記載の電源回路。
【請求項３】
上記制御手段はマイクロコントローラによって構成され、
上記スイッチング手段に対し、パルスを発生する手段は、上記マイクロコントローラ内の所定のレジスタを設定することによって、所定のオン／オフ比のパルスを発生または停止するパルス発生機能を利用することを特徴とする請求項２記載の電源回路。
【請求項４】
所定のパルス幅のパルス信号発振制御機能を有するマイクロコントローラと、
上記発生したパルス信号によって制御される電池を電源とするＤＣ／ＤＣコンバータと、
上記ＤＣ／ＤＣコンバータの出力を低電圧に変換するレギュレータと、
上記パルス信号出力後、所定時間後に、上記マイクロコントローラが、上記レギュレータの出力と、上記ＤＣ／ＤＣコンバータの出力を比較して、上記パルス信号の制御を行うことを特徴とする電源回路。
【請求項５】
上記モニタ回路は、コンパレータ若しくは該コンパレータに基準電圧を入力するＤ／Ａコンバータとから成ることを特徴とする請求項１に記載の電源回路。
【請求項６】
上記レギュレータは、インダクタをスイッチング制御するパルス発生回路と同一のチップ上に構成されていることを特徴とする請求項２に記載の電源回路。
【発明の詳細な説明】
【０００１】
【発明の属する技術分野】
この発明は電源回路に関するもので、特に電池を電源とする携帯用電子機器の電源回路の改良に関するものである。
【０００２】
【従来の技術】
近年、携帯用機器の小型化の流れに伴い、小容量で低い電圧しか発生できない電池を使用して、長時間、正しく機器を作動させるための試みが数多く成されている。この１つの技術として、ＤＣ／ＤＣコンバータの利用があった。
【０００３】
一方、機器の小型化のためには、部品点数を削減する必要がある。本件出願人は、専用の発振器を用いずに機器全体の制御を行うマイクロコントローラの１つのポートをオン／オフ制御させ、コンダクタンスを利用したＤＣ／ＤＣコンバータを構成している。
【０００４】
【発明が解決しようとする課題】
しかし、この方式で構成されたＤＣ／ＤＣコンバータは、その出力電圧の管理が困難なものであった。
【０００５】
また、近年、マイクロコントローラは、プロセスの微細加工技術の進展に従って、よりチップの小型化が進んでおり、低コストも進められている。しかしながら、微細化による電圧的耐性の制限が重要な管理項目となってきており、具体的には、こうした最新の、且つ、小型廉価のデバイスを利用する際には、所定電圧以上に電源電圧が上昇しないようにする工夫が必須となってきている。
【０００６】
一方、ＤＣ／ＤＣコンバータを状況に応じてよりきめ細かく制御し、消費電流を抑え、電池を長持ちさせて、ユーザの満足度を高める工夫が必要であることは言うまでもない。
【０００７】
したがってこの発明は、上記実状に鑑みてなされたものであり、単純な構成で低コスト、且つ電圧管理を正しく行うと共に低消費電流の電源回路を提供することを目的とする。
【０００８】
【課題を解決するための手段】
すなわちこの発明は、電池からインダクタに繰り返し電流を流すスイッチング手段と、上記インダクタに発生した電圧を平滑化させ、レギュレータに入力する平滑化回路と、上記平滑化回路の出力をモニタするモニタ回路と、を具備し、上記モニタ回路の基準電圧が、上記レギュレータの出力電圧によって安定化されていることを特徴とする。
【０００９】
またこの発明は、所定のパルス幅のパルス信号発振制御機能を有するマイクロコントローラと、上記発生したパルス信号によって制御される電池を電源とするＤＣ／ＤＣコンバータと、上記ＤＣ／ＤＣコンバータの出力を低電圧に変換するレギュレータと、上記パルス信号出力後、所定時間後に、上記マイクロコントローラが、上記レギュレータの出力と、上記ＤＣ／ＤＣコンバータの出力を比較して、上記パルス信号の制御を行うことを特徴とする。
【００１０】
この発明の電源回路にあっては、スイッチング手段によって電池からインダクタに繰り返し電流が流され、上記インダクタに発生した電圧は平滑化回路によってを平滑化されてレギュレータに入力される。この平滑化回路の出力は、モニタ回路にてモニタされる。そして、上記モニタ回路の基準電圧は、上記レギュレータの出力電圧によって安定化されている。
【００１１】
またこの発明の電源回路にあっては、マイクロコントローラが所定のパルス幅のパルス信号発振制御機能を有しており、上記発生したパルス信号によって制御される電池がＤＣ／ＤＣコンバータの電源とされる。上記ＤＣ／ＤＣコンバータの出力は、レギュレータによって低電圧に変換される。そして、上記パルス信号出力後、所定時間後に、上記マイクロコントローラによって、上記レギュレータの出力と上記ＤＣ／ＤＣコンバータの出力が比較されて、上記パルス信号の制御が行われる。
【００１２】
最新のマイクロコントローラは、高機能化が進んでおり微細化技術の進展と共に、従来より小さなチップに、ＬＣＤドライバやＡ／ＤコンバータブザやＰＷＭ回路等パルス発生回路等の周辺回路が内蔵されていることが多い。
【００１３】
この発明は、特にＡ／Ｄコンバータとパルス発生回路を有効利用して、低容量の電池を長持ちさせて、機器を長時間安定して動作させることを可能としている。
【００１４】
【発明の実施の形態】
以下、図面を参照してこの発明の実施の形態を説明する。
【００１５】
図１は、この発明の電源回路に係る第１の実施の形態の構成を示す図である。
【００１６】
尚、この第１の実施の形態に於いては、携帯用電子機器の中でもアクチュエータ等、可動部を多く含み、電池に負担の多いカメラを例として説明する。
【００１７】
図１に於いて、ＣＰＵ１は、カメラ全体のシーケンスを制御するもので、マイクロコントローラにより構成される。このＣＰＵ１内には、後述するＡ／Ｄコンバータ１ａやＬＣＤドライバ１ｂを有している。
【００１８】
電池２は、後述するシャッタ１６、ストロボ装置１７のエネルギー源となるもので、リチウム電池やアルカリ電池等の１次電池の他、近年ではＮｉＨやＬｉ−ｉｏｎ等の２次電池が利用されることもある。この電池２は、インダクタ３、整流用のダイオード４、電源安定用のコンデンサ５及びレギュレータ６を介してＣＰＵ１に接続される。
【００１９】
また、このＣＰＵ１には、２つの抵抗から成る分圧抵抗９と、トランジスタ１０と、上記ＬＣＤドライバ１ｂによって駆動されるＬＣＤ１２と、スイッチ１３と、コンデンサ１４と、リセット回路１５と、シャッタ１６及びストロボ装置１７が接続される。
【００２０】
このような構成に於いて、ユーザのスイッチ１３の制御に応じて、ＣＰＵ１に内蔵のプログラムにより所定のシーケンスが実行され、シャッタ１６やストロボ装置１７が駆動されて撮影動作や表示が制御される。これらシャッタ１６やストロボ装置１７のエネルギー源としては、電池２が利用されている。
【００２１】
この電池使用時には、内部抵抗と称される抵抗成分が無視できず、シャッタ１６用のプランジャやモータ（図示せず）に数百ミリアンペアオーダの電流が流れたり、ストロボ装置１７の充電回路（図示せず）に数アンペアオーダの電流が流れたりすると、上記内部抵抗によって電圧降下が起こる。すると、電池電圧が急激に変化したり、低下したりすることによって、ＣＰＵ１が誤動作したり、最低動作電圧を外れて停止してしまったりすることがある。
【００２２】
この内部抵抗成分は、環境温度等、電池の使用状況や消耗の場合、更には上述した電池の種別、またはメーカによって変動するものであり、これにかかわらず一定電圧でＣＰＵその他の各部を制御することが望まれている。
【００２３】
そのため、本実施の形態では、パルス信号をベースに加えることによって、ＤＣ／ＤＣコンバータ用のトランジスタ１０がＣＰＵ１によって高速にオン／オフされる。これにより、インダクタ３に電流変化が発生され、その時に生じる電圧に基く電流が整流用のダイオード４を介して電源安定用のコンデンサ５にチャージされる。すると、図中にＤＣＯＵＴ　として表された部分の電圧は、電池電圧（Ｖｃｃ１　）以上に上昇し、これをＣＰＵ１の電源とすることによって、上述した大きな電池電圧変動に影響しない電源を形成することができる。
【００２４】
しかし、無制限にトランジスタ１０をパルス駆動し続けてＤＣ／ＤＣコンバータを駆動し続けると、ＤＣＯＵＴ　は必要以上に上昇すると共に、消費電流も無駄になってしまう。これを防止するために、ＤＣＯＵＴ　がレギュレータ６に入力され、その出力がＣＰＵ１の電源電圧Ｖｃｃ２　とされている。
【００２５】
電池の開放電圧が３Ｖとすると、レギュレータ出力Ｖｃｃ２　は２．７Ｖ付近が選択される。これによって、電池が新しい時や、大電流系の回路が駆動されていない場合には、ＤＣ／ＤＣコンバータが停止されて、電流消費が抑えられるようになる。
【００２６】
こうして、安定化されたレギュレータ出力Ｖｃｃ２　が、ＣＰＵ１に内蔵されたＬＣＤドライバ１ｂや、Ａ／Ｄコンバータ１ａの基準電圧に利用されることによって、ＬＣＤ１２の濃度を電池の消費状態によらずに一定にすることができる上、正確なＡ／Ｄ変換が可能となる。また、上述したＣＰＵ１の電源リミット（３．６Ｖ付近）を越えることなく、ＣＰＵを安定して制御させることができる。
【００２７】
上述したＡ／Ｄコンバータ１ａを利用すれば、ＤＣ／ＤＣコンバータの出力ＤＣＯＵＴ　が抵抗９で分圧されることによって、ＤＣ／ＤＣコンバータの制御が必要か否かが判定できる。
【００２８】
つまり、ＣＰＵ１がオープンドレイン出力端子９ａを“Ｌ（ローレベル）”とすれば、分圧抵抗９の２つの抵抗の比率に応じた電圧が中間電極に発生する。したがって、これがＡ／Ｄコンバータ１ａにてモニタされ、上述したレギュレータ出力（ＶＲＥＧ　）の２．７Ｖ相当を越えていない時には、ＤＣ／ＤＣコンバータ１０が作動される。
【００２９】
また、２．７Ｖを越えてすぐにこれが停止されると、すぐにＣＰＵ１により電流消費されて、Ｖｃｃ２　の電圧が下がってしまう。したがって、しばらく昇圧が続けられ、０．５Ｖ程度上昇されてから（ＶＲＥＧ　＋Ｖ０　になってから）ＤＣ／ＤＣコンバータが停止されて消費電流が抑えられる。
【００３０】
図２は、このような回路による電圧制御の動作方法を説明するタイミングチャートである。
【００３１】
図中、ＤＣはＤＣ／ＤＣコンバータ用のトランジスタ１０のベースを制御するパルス波形を表している。また、ＤＣＯＵＴ　及びＶｃｃ２　は、それぞれレギュレータ６の入力及び出力を表している。更に、Ａ／ＤはＡ／Ｄコンバータ１ａの判定タイミングである。
【００３２】
ここで、注意を要するのは、レギュレータ６が正規のＶＲＥＧ　を出力していない場合は、Ａ／Ｄコンバータ１ａの基準電圧そのものが正しい値とならないので、正しい値になった後にＡ／Ｄ変換の判定を開始するように考慮されていることである。つまり、ＤＣ／ＤＣコンバータが駆動されてから所定の時間（ｔＡＤ）が経過してから、Ａ／Ｄ変換が行われるようになっている。
【００３３】
この制御によって、正しい基準電圧が入力された後に、Ａ／Ｄ変換による電圧判定（ＤＣＯＵＴ　判定）が行われるので、正確なＤＣ／ＤＣコンバータ制御が可能となる。また、電池が抜かれた場合には、リセット回路１５にてその旨が判定され、ＣＰＵ１がリセットされる。
【００３４】
次に、このような構成の電源回路を有するカメラの動作について、図３のフローチャートを参照して説明する。
【００３５】
尚、このフローチャートは、ＣＰＵ１に内蔵されるＲＯＭ内に記録されたプログラムに従ってシーケンシャルに実行されるものである。
【００３６】
カメラのメインスイッチが入力されると、先ず、ステップＳ１にてＤＣ／ＤＣコンバータ用のトランジスタ１０の発振が開始される。上述したように、この昇圧動作後、しばらくはＣＰＵ１に内蔵のＡ／Ｄコンバータ１ａの基準電圧（Ｖｒｅｆ　）そのものが安定していない可能性があるので、以下のような処理動作が行われる。すなわち、ステップＳ２に於いて、所定時間ｔＡＤが経過したか否かが判定される。ここで、所定時間ｔＡＤが経過すると、続くステップＳ３にてＬＣＤ表示が行われ、更にステップＳ４にてＡ／Ｄ変換動作が開始される。
【００３７】
そして、ステップＳ５に於いて、このＡ／Ｄ変換結果がＤＣＯＵＴ　＞ＶＲＥＧ　＋Ｖ０　（レギュレータ電圧より０．５Ｖ程高い電圧）という関係になったか否かが判定される。
【００３８】
ここで、ＤＣＯＵＴ　の方が高ければステップＳ６に移行する。そして、ストロボ充電のような動作を必要としないときには、ＤＣ／ＤＣコンバータは作動停止できるとして、ストロボ充電の要・不要が判定される。
【００３９】
ストロボ充電が必要な場合には、ステップＳ７へ移行して充電完了フラグが“０”とされて、ステップＳ８で充電動作が開始される。このとき、電池電圧の低下が想定されるので、ＤＣ／ＤＣコンバータの作動は継続させてＣＰＵ電圧（Ｖｃｃ２　）の安定化が図られる。
【００４０】
また、上記ステップＳ６にて、ストロボ充電が不要の場合には、ステップＳ９に移行して充電完了フラグがセット（“１”）される。次いで、ステップＳ１０にてストロボ充電が停止された後、ステップＳ１１にてＤＣ／ＤＣコンバータが停止されて消費電流が削減される。
【００４１】
一般に、ストロボ回路は、高い電圧のエネルギーを利用してストロボ発光を行うため、充電動作を必要とし、その時大きな電流消費を伴う。また、レリーズスイッチがオンされる時も、シャッタ動作等、大きな電流消費を伴う。そのため、ステップＳ１２にてレリーズスイッチの状態が判定されて、レリーズスイッチがオンの場合は、ステップＳ１３に移行して、ＤＣ／ＤＣコンバータの作動が行われる。次いで、ステップＳ１４にてシャッタ制御が行われ、更にステップＳ１５にてストロボ発光制御等が行われる。
【００４２】
この電流消費操作が終了すると、上記ステップＳ４に移行して、再度Ａ／Ｄ変換が行われた後、ＤＣ／ＤＣコンバータの更なる制御が必要か否かが判定される。
【００４３】
一方、上記ステップＳ１２にて、レリーズスイッチがオンされていなければ、ステップＳ１８へ移行する。
【００４４】
また、上記ステップＳ５にて、ＤＣＯＵＴ　＞ＶＲＥＧ　＋Ｖ０　でなければ、ステップＳ１６に移行して、ＤＣ／ＤＣコンバータ用のトランジスタ１０の発振が継続され、更にステップＳ１７にてストロボ充電のような大電流消費の制御が停止される。その後、ステップＳ１８に移行する。
【００４５】
ステップＳ１８では、メインスイッチの操作状態が判定される。ここで、メインスイッチがオフに操作されなければ、ステップＳ１９に移行して、所定時間経過毎に、上記ステップＳ４のＡ／Ｄの判定（電源電圧判定）が行われる。
【００４６】
また、上記ステップＳ１８にてメインスイッチがオフにされると、ステップＳ２０へ移行して表示がＯＦＦにされる。次いで、ステップＳ２１にて、ＤＣ／ＤＣコンバータの動作も停止されて、消費電流が削減される。
【００４７】
以上説明したように、第１の実施の形態によれば、ＣＰＵに内蔵のＡ／Ｄ変換手段（コンバータ）を有効利用して、ＤＣ／ＤＣコンバータのＯＮ／ＯＦＦ制御を適確に行うようにしたので、安定した動作が保証できると共に、電池寿命を長くすることができる。
【００４８】
更に、分圧抵抗９のグラウンド（ＧＮＤ）側を、ＣＰＵ１のＮｃｈオープンドレイン端子でＯＮ／ＯＦＦ制御する等の工夫をして部品点数を削減しているので、小さなスペースに収められる小型機器用の電源回路とすることができる。
【００４９】
また、ストロボやアクチュエータを制御して大電流消費動作を伴う場合には、必ずＤＣ／ＤＣコンバータを作動させて、Ｖｃｃ２　の低下を防止したので、誤動作をなくし、表示等のちらつきも対策することができる。
【００５０】
次に、この発明の第２の実施の形態について説明する。
【００５１】
図４は、この発明の電源回路に係る第２の実施の形態の構成を示す図である。
【００５２】
尚、この第２の実施の形態に於いて、図１に示される第１の実施の形態と同じ部分には同一の参照番号を付して説明は省略する。
【００５３】
この第２の実施の形態では、Ａ／ＤコンバータのＶｒｅｆ　に分圧回路２０のダイオード２０ａの順電圧ＶＦ　を利用したため、図１の回路の構成からレギュレータ６を削除して、より廉価の回路を達成している。
【００５４】
つまり、Ａ／Ｄコンバータ１ａは、このＶＦ　と分圧抵抗７で分圧されたＤＣ／ＤＣコンバータの出力を比較して、昇圧が必要か否かを判定することができる。この判定時のみ、図５に示されるように、ＣＰＵ１のオープンドレインポート９ａ′がオンされて、この時のみダイオードや抵抗等から成る電圧判定部に電流が流されるようになる。また、その他の場合は、ここがオープンにされて消費電流が抑えられるよううになっている。
【００５５】
このＡ／Ｄコンバータ１ａによる電圧比較によって、頻繁にＤＣ／ＤＣコンバータのオン／オフが制御されれば、ダイオード２０ａのＶＦ　が一般に０．６〜０．７Ｖであるため、ＤＣＯＵＴ　もその差である０．１Ｖの３〜４倍のバラつきである０．３〜０．４Ｖに抑えることができる。
【００５６】
このような工夫によって、ＬＣＤ１２を所定の電圧でちらつきを小さくして駆動しながら、シャッタ、ストロボ装置等の撮影装置２１による電源電圧低下を防止して、安定した電源電圧を供給可能な電源回路を提供することが可能となる。この第２の実施の形態では、レギュレータを廃止したため、より低コスト化が可能となっている。
【００５７】
次に、この発明の第３の実施の形態を説明する。
【００５８】
図６は、この発明の電源回路に係る第３の実施の形態の構成を示すもので、外電源回路が適用されたカメラ全体のシステムの構成例を示したブロック図である。
【００５９】
この第３の実施の形態は、ワンチップマイクロコンピュータ（ＣＰＵ）１の同一チップ内に、レギュレータ６を内蔵させたものである。このレギュレータ６の出力は、Ａ／Ｄコンバータ１ａ、ＬＣＤドライバ１ｂ、Ｄ／Ａコンバータ１ｃ、リセット（ＲＥＳＥＴ）回路２５に供給されると共に、バッファ２６を介してＣＰＵ１の外部に取り出せるようになっている。
【００６０】
上記Ｄ／Ａコンバータ１ｃには、アンプ２７と、ＡＦ部３０に含まれるアンプ３１が接続されると共に、コンパレータ３２、３３、３４のそれぞれ一方の入力端子が接続される。上記コンパレータ３２の他方の入力端子には、上記Ａ／Ｄコンバータ１ａ及びＡＦ部３０が接続される。更に、コンパレータ３３、３４の他方の入力端子は、それぞれフォトインタラプタ回路５２、分圧抵抗９に接続される。そして、コンパレータ３２及び３３の出力は判定回路３５へ、コンパレータ３４の出力は判定回路３６へ供給される。
【００６１】
この判定回路３６の出力は、上記リセット回路２５、発振器３７の出力と共に、発振オフ（ＯＦＦ）回路３８に供給される。また、リセット回路２５には、ＣＰＵ１外部の発振器４０が接続された時計回路４１が、逓倍回路４２を介して接続される。
【００６２】
更に、上記アンプ２７の入出力間には、モータドライバ４４駆動用のトランジスタ４５が接続される。また、バッファ２６に接続された表示用のＬＥＤ４６を介してＩ／Ｏ部４７が接続される。
【００６３】
上記ＣＰＵ１内のレギュレータ６には、ＤＣ／ＤＣコンバータのダイオード４及びコンデンサ５が接続される。更に上記ダイオード４には、インダクタ３、電池２を介してモータドライバ４４及びトランジスタ４５が接続されている。上記ダイオード４には、また、トランジスタ１０及び抵抗４８、４９を介して発振オフ回路３８が接続される。更に、この発振オフ回路３８には、ストロボ装置１７が接続される。
【００６４】
上記モータドライバ４４に接続されたモータ５１は、フォトインタラプタ回路５２によってその回転が検出される。そして、このフォトインタラプタ回路５２は、抵抗５３、５４を介してＩ／Ｏ部４７に接続されると共に、ＣＰＵ１内部やＥＥＰＲＯＭ５５、更にはＡＦ部３０や受光素子５６に接続されている。
【００６５】
また、ＬＣＤ１２は、ＩＣ１内のＬＣＤドライバ１ｂに接続されて駆動される。
【００６６】
このような構成に於いて、先ず、電池からの出力を安定させて、電源として利用する部分について説明する。
【００６７】
ここでは、ＣＰＵ１の同一チップ内に、レギュレータ６が内蔵されており、該レギュレータ６の出力は、バッファ２６を介してＣＰＵ１外部に取り出すことができるようになっている。ＤＣ／ＤＣコンバータ出力ＤＣＯＵＴ　に依存する電圧は、分圧抵抗９を介して、Ａ／Ｄコンバータ１ａ及びＣＰＵ１内に設けられたコンパレータ３４に入力されている。
【００６８】
ＣＰＵ１が内蔵の発振器３７によってトランジスタ１０をオン／オフすると、電池２から流れた電流により、インダクタ３に発生された電圧が、ダイオード４を介してコンデンサ５に充電される。この充電電圧ＤＣＯＵＴ　は、分圧抵抗９によって分圧され、Ａ／Ｄコンバータ１ａによってモニタされる。
【００６９】
このときの回路動作を説明するタイミングチャートは、図２のタイミングチャートと同様である。但し、このように、Ａ／Ｄコンバータ１ａの結果を常にモニタしているプログラムでは、十分と言えないようなシーケンスがあり、制約がある。つまり、比較的長い時間にわたって高速の制御を行う場合には、このＡ／Ｄ変換の判定に要する時間がタイムラグとなって精密な制御ができなくなる。例えば、フィルムに日付を写し込むときに写し込みタイミングを判定している場合や、ピント合わせレンズが制御されているときにレンズ位置を検出している場合に、ＤＣ／ＤＣコンバータの昇圧をモニタする制御は困難なものである。
【００７０】
そのため、本実施の形態では、所定の電圧ＤＡ１とＤＡ２とを比較するためのコンパレータ３４が設けられている。そして、所定レベルにＤＣＯＵＴ　入っているときには、判定回路３６が発振オフ回路３８をオフにして昇圧動作を停止するようにしている。
【００７１】
この発振オフ回路３８は、単に発振を停止させるだけでなく、停止させたときにトランジスタ１０がオンされたままにならないように、停止時の出力電圧固定を“Ｌ（ローレベル）”にするように構成している。
【００７２】
このような構成の回路により、ＤＣＯＵＴ　が所定レベル内に収まるように制御することができる。
【００７３】
また、Ｄ／Ａコンバータ１ｃは、ＣＰＵ１のプログラムに応じて、コンパレータ３４に入力する判定電圧を切換えることができ、図７のタイミングチャートに示されるＤＡのように、ＤＡ１、ＤＡ２の２つの出力を選択することができる。昇圧時は高い側のリミットＤＡ１を設定し、昇圧停止時は低い側のリミットＤＡ２を設定するが、これらを越える毎に判定回路３６がコンパレータ３４の出力を判定して信号を出力し、発振オフ回路３８やＣＰＵ１のプログラムを切換えて制御する。このときのタイミングチャートは、図７に示されるようになる。
【００７４】
このように、コンパレータ１つでウィンドウコンパレータのような働きを持たせ、いたずらに回路が大型化することを防止して廉価にしている。
【００７５】
本実施の形態の特徴たるＣＰＵ１内のレギュレータ６の出力は、上記Ｄ／Ａコンバータ１ｃ、Ａ／Ｄコンバータ１ａ及びＬＣＤドライバ１ｂの基準電圧として供給されると共に、バッファ２６を介して、ＣＰＵ１外の各回路用の定電圧源として機能する。例えば、モータ５１の回転を検出するフォトインタラプタ回路５２や、表示用のＬＥＤ４６、各種データを記録したＥＥＰＲＯＭ５等の電源となる。
【００７６】
また、図示されていないが、投光手段を投光制御したときに、受光素子５６に入射した光信号の大きさを検出するＡＦ部３０を安定させるための電源としても応用することができる。
【００７７】
更に、発振器３７の出力パルスは、ストロボ装置１７の充電用パルスとしても用いられ、ＣＰＵ１に内蔵のＡ／Ｄコンバータ１ａは、この充電電圧を判定する機能をも有している。また、Ｄ／Ａコンバータ１ｃの出力は、アンプ２７に入力され、モータドライバ４４をトランジスタ４５と共に定電圧駆動して、モータ５１の速度を制御することができるようになっている。
【００７８】
上述したように、上記発振器４０は、日付写し込み用の時計回路４１を動作させる。この発振器４０の出力が逓倍回路４２で逓倍されて、ＣＰＵ１の動作のメインクロックを発生させる。
【００７９】
リセット回路２５は、電池２が消耗したときにＣＰＵ１をリセットし、交換等により電池２が新しくなった場合に、ＣＰＵ１を正しく再起動させる機能を有している。
【００８０】
このように、図６に示されるシステムによって、ＡＦ部３０ばかりでなく、主要な部品をＣＰＵ１と同一チップ内に構成することが可能となり、コスト的、スペース的なメリットのある製品を提供することが可能となる。
【００８１】
以上説明したように、この発明によれば、単純で廉価な構成によって、電池のエネルギーを長時間有効利用できる携帯機器用の電源回路を提供することができる。
【００８２】
【発明の効果】
以上のようにこの発明によれば、単純な構成で低コスト、且つ電圧管理を正しく行うと共に低消費電流の電源回路を提供することができる。
【図面の簡単な説明】
【図１】この発明の電源回路に係る第１の実施の形態の構成を示す図である。
【図２】図１の電源回路による電圧制御の動作方法を説明するタイミングチャートである。
【図３】第１の実施の形態に於ける電源回路を有するカメラの動作について説明するフローチャートである。
【図４】この発明の電源回路に係る第２の実施の形態の構成を示す図である。
【図５】第２の実施の形態に於ける電源回路の昇圧の判定時を説明する図である。
【図６】この発明の電源回路に係る第３の実施の形態の構成を示すもので、該電源回路が適用されたカメラ全体のシステムの構成例を示したブロック図である。
【図７】図６のシステムによる昇圧時の各部の動作を説明するためのタイミングチャートである。
【符号の説明】
１　ＣＰＵ、
１ａ　Ａ／Ｄコンバータ、
１ｂ　ＬＣＤドライバ、
２　電池、
３　インダクタ、
４　ダイオード、
５、１４　コンデンサ、
６　レギュレータ、
９　分圧抵抗、
１０　トランジスタ、
１２　ＬＣＤ、
１３　スイッチ、
１５　リセット回路、
１６　シャッタ、
１７　ストロボ装置。
【図１】
2004072991.tif 000003
【図２】
2004072991.tif 000004
【図３】
2004072991.tif 000005
【図４】
2004072991.tif 000006
【図５】
2004072991.tif 000007
【図６】
2004072991.tif 000008
【図７】
2004072991.tif 000009